(57)【要約】【課題】発電システムに備えられた各発電装置のうちユーザ所望の発電装置について劣化の進行を抑制することのできる、電力出力制御装置を提供する。【解決手段】スケジュール運転発電装置と非スケジュール運転発電装置とを記憶する。そして、複数台の発電装置の給電対象である負荷設備の消費電力から、スケジュール運転発電装置の電力出力値の合計を減じることにより、非スケジュール運転発電装置の電力出力値の合計を算出する。またスケジュール運転発電装置へは予め記録されたスケジュールと電力出力値に基づいて運転の指令を行ない、非スケジュール運転発電装置へは、前記算出された電力出力値の合計に基づいて運転の指令を所定の時間間隔で行なう。【選択図】図１
2008182788.tif 000002
【特許請求の範囲】
【請求項１】
複数台の発電装置の出力を制御する電力出力制御装置であって、
あらかじめ設定されたスケジュールおよび電力出力値を格納したスケジュール情報を記憶するスケジュール記憶手段と、
前記複数台の発電装置のうち、前記スケジュール情報に基づき運転の指令を受けるスケジュール運転発電装置と、前記複数台の発電装置の給電対象である負荷設備の消費電力に基づき運転の指令を受ける非スケジュール運転発電装置と、を記憶する発電装置種別記憶手段と、
前記複数台の発電装置の給電対象である負荷設備の消費電力から、前記スケジュール運転発電装置の電力出力値の合計を減じることにより、前記非スケジュール運転発電装置の電力出力値の合計を算出する電力出力値算出手段と、
前記スケジュール運転発電装置へは前記スケジュール記憶手段から読み取ったスケジュールと電力出力値に基づいて運転の指令を行ない、前記非スケジュール運転発電装置へは前記電力出力値算出手段において算出された電力出力値の合計に基づいて運転の指令を所定の時間間隔で行なう出力指令手段と、
を備えることを特徴とする電力出力制御装置。
【請求項２】
前記複数台の発電装置の電力出力値に応じた発電効率を記憶する発電効率記憶手段を備え、
前記出力指令手段は、前記非スケジュール運転装置の電力出力値の合計を前記非スケジュール運転発電装置それぞれへ任意で振り分けた際の電力出力値と、当該振り分けられた電力出力値における前記非スケジュール運転発電装置それぞれの発電効率とに基づいて、前記非スケジュール運転発電装置それぞれへ投入される投入エネルギーを算出し、
当該投入エネルギーの合計と、前記非スケジュール運転装置の電力出力値の合計から前記非スケジュール運転発電装置全体での発電効率を算出し、当該発電効率が最大となるように前記非スケジュール運転発電装置それぞれへ電力出力値を指令する
ことを特徴とする請求項１に記載の電力出力制御装置。
【請求項３】
前記スケジュール運転発電装置それぞれへ指令する電力出力値は異なる値である
ことを特徴とする請求項１に記載の電力出力制御装置。
【請求項４】
前記あらかじめ設定されたスケジュールは、前記複数台の発電装置がスケジュール運転発電装置として運転する期間と、非スケジュール運転発電装置として運転する期間とが等しいことを特徴とする請求項１に記載の電力出力制御装置。
【請求項５】
前記あらかじめ設定されたスケジュールは、前記複数台の発電装置がスケジュール運転発電装置として運転する期間と、非スケジュール運転発電装置として運転する期間とが異なっていることを特徴とする請求項１に記載の電力出力制御装置。
【請求項６】
複数台の発電装置の出力を制御する電力出力制御装置における電力出力制御方法であって、
前記電力出力制御装置のスケジュール記憶手段が、あらかじめ設定されたスケジュールおよび電力出力値を格納したスケジュール情報を記憶し、
前記電力出力制御装置の発電装置種別記憶手段が、前記複数台の発電装置のうち、前記スケジュール情報に基づき運転の指令を受けるスケジュール運転発電装置と、前記複数台の発電装置の給電対象である負荷設備の消費電力に基づき運転の指令を受ける非スケジュール運転発電装置と、を記憶し、
前記電力出力制御装置の電力出力値算出手段が、前記複数台の発電装置の給電対象である負荷設備の消費電力から、前記スケジュール運転発電装置の電力出力値の合計を減じることにより、前記非スケジュール運転発電装置の電力出力値の合計を算出し、
前記電力出力制御装置の出力指令手段が、前記スケジュール運転発電装置へは前記スケジュール記憶手段から読み取ったスケジュールと電力出力値に基づいて運転の指令を行ない、前記非スケジュール運転発電装置へは前記電力出力値算出手段において算出された電力出力値の合計に基づいて運転の指令を所定の時間間隔で行なう
ことを特徴とする電力出力制御方法。
【請求項７】
あらかじめ設定されたスケジュールおよび電力出力値を格納したスケジュール情報を記憶するスケジュール記憶手段と、
複数台の発電装置のうち、前記スケジュール情報に基づき運転の指令を受けるスケジュール運転発電装置と、前記複数台の発電装置の給電対象である負荷設備の消費電力に基づき運転の指令を受ける非スケジュール運転発電装置と、を記憶する発電装置種別記憶手段と、
を備え、前記複数台の発電装置の出力を制御する電力出力制御装置のコンピュータに実行させるプログラムであって、
前記複数台の発電装置の給電対象である負荷設備の消費電力から、前記スケジュール運転発電装置の電力出力値の合計を減じることにより、前記非スケジュール運転発電装置の電力出力値の合計を算出する電力出力値算出処理と、
前記スケジュール運転発電装置へは前記スケジュール記憶手段から読み取ったスケジュールと電力出力値に基づいて運転の指令を行ない、前記非スケジュール運転発電装置へは前記電力出力値算出処理において算出された電力出力値の合計に基づいて運転の指令を所定の時間間隔で行なう出力指令処理と、
をコンピュータに実行させるプログラム。
【請求項８】
請求項７に記載のプログラムを記憶する記録媒体。
【発明の詳細な説明】
【技術分野】
【０００１】
本発明は、発電システムに備えられた複数の発電装置の電力出力値を制御する電力出力制御装置及び電力出力制御方法並びにそのプログラムと記録媒体に関する。
【背景技術】
【０００２】
従来、複数の発電装置を用いて電力供給対象となる電力消費装置へ電力を出力する発電システムが利用されている。このような発電システムにおいては各発電装置の電力出力値を一定に、あるいは電力消費装置の電力消費量に応じて制御することが必要となる。なお複数の発電装置の電力出力値を制御する技術が公開されている（例えば、特許文献１参照）。
【特許文献１】特開２００１−２９５７００号公報
【発明の開示】
【発明が解決しようとする課題】
【０００３】
電力消費装置の消費する電力消費量に追随して各発電装置の電力出力値を一律に、また頻繁に増減させると、全ての発電装置の劣化の進行が早まることとなる。ここで、通常、発電装置の電力出力値の増減を頻繁に制御すると、電力出力値が一定となるよう制御した場合に比べて劣化の進行が早まることが知られている。発電装置の劣化とは、例えば最大出力の低下や発電効率の低下などである。また発電装置の種類によっては劣化の速度の速い装置が存在する。従って、発電システムに備えられたそれぞれの発電装置の制御方法によって、他の発電装置より著しく早く劣化してしまう発電装置が現れることが考えられ、この場合、発電システムの維持（例えば発電装置の交換など）に労力がかかることとなる。これにより、発電システムに備えられた各発電装置のうちユーザ所望の発電装置について劣化の進行を抑制することが求められていた。
【０００４】
そこでこの発明は、発電システムに備えられた各発電装置のうちユーザ所望の発電装置について劣化の進行を抑制することのできる、電力出力制御装置及び電力出力制御方法並びにそのプログラムと記録媒体を提供することを目的としている。
【課題を解決するための手段】
【０００５】
上記目的を達成するために、本発明は、複数台の発電装置の出力を制御する電力出力制御装置であって、あらかじめ設定されたスケジュールおよび電力出力値を格納したスケジュール情報を記憶するスケジュール記憶手段と、前記複数台の発電装置のうち、前記スケジュール情報に基づき運転の指令を受けるスケジュール運転発電装置と、前記複数台の発電装置の給電対象である負荷設備の消費電力に基づき運転の指令を受ける非スケジュール運転発電装置と、を記憶する発電装置種別記憶手段と、前記複数台の発電装置の給電対象である負荷設備の消費電力から、前記スケジュール運転発電装置の電力出力値の合計を減じることにより、前記非スケジュール運転発電装置の電力出力値の合計を算出する電力出力値算出手段と、前記スケジュール運転発電装置へは前記スケジュール記憶手段から読み取ったスケジュールと電力出力値に基づいて運転の指令を行ない、前記非スケジュール運転発電装置へは前記電力出力値算出手段において算出された電力出力値の合計に基づいて運転の指令を所定の時間間隔で行なう出力指令手段と、を備えることを特徴とする電力出力制御装置である。
【０００６】
また本発明は、上述の電力出力制御装置が、前記複数台の発電装置の電力出力値に応じた発電効率を記憶する発電効率記憶手段を備え、前記出力指令手段は、前記非スケジュール運転装置の電力出力値の合計を前記非スケジュール運転発電装置それぞれへ任意で振り分けた際の電力出力値と、当該振り分けられた電力出力値における前記非スケジュール運転発電装置それぞれの発電効率とに基づいて、前記非スケジュール運転発電装置それぞれへ投入される投入エネルギーを算出し、当該投入エネルギーの合計と、前記非スケジュール運転装置の電力出力値の合計から前記非スケジュール運転発電装置全体での発電効率を算出し、当該発電効率が最大となるように前記非スケジュール運転発電装置それぞれへ電力出力値を指令することを特徴とする。
【０００７】
また本発明は、上述の電力出力制御装置において、前記スケジュール運転発電装置それぞれへ指令する電力出力値は異なる値であることを特徴とする。
【０００８】
また本発明は、上述の電力出力制御装置において、前記あらかじめ設定されたスケジュールは、前記複数台の発電装置がスケジュール運転発電装置として運転する期間と、非スケジュール運転発電装置として運転する期間とが等しいことを特徴とする。
【０００９】
また本発明は、上述の電力出力制御装置において、前記あらかじめ設定されたスケジュールは、前記複数台の発電装置がスケジュール運転発電装置として運転する期間と、非スケジュール運転発電装置として運転する期間とが異なっていることを特徴とする。
【００１０】
また本発明は、複数台の発電装置の出力を制御する電力出力制御装置における電力出力制御方法であって、前記電力出力制御装置のスケジュール記憶手段が、あらかじめ設定されたスケジュールおよび電力出力値を格納したスケジュール情報を記憶し、前記電力出力制御装置の発電装置種別記憶手段が、前記複数台の発電装置のうち、前記スケジュール情報に基づき運転の指令を受けるスケジュール運転発電装置と、前記複数台の発電装置の給電対象である負荷設備の消費電力に基づき運転の指令を受ける非スケジュール運転発電装置と、を記憶し、前記電力出力制御装置の電力出力値算出手段が、前記複数台の発電装置の給電対象である負荷設備の消費電力から、前記スケジュール運転発電装置の電力出力値の合計を減じることにより、前記非スケジュール運転発電装置の電力出力値の合計を算出し、前記電力出力制御装置の出力指令手段が、前記スケジュール運転発電装置へは前記スケジュール記憶手段から読み取ったスケジュールと電力出力値に基づいて運転の指令を行ない、前記非スケジュール運転発電装置へは前記電力出力値算出手段において算出された電力出力値の合計に基づいて運転の指令を所定の時間間隔で行なうことを特徴とする電力出力制御方法である。
【００１１】
また本発明は、あらかじめ設定されたスケジュールおよび電力出力値を格納したスケジュール情報を記憶するスケジュール記憶手段と、複数台の発電装置のうち、前記スケジュール情報に基づき運転の指令を受けるスケジュール運転発電装置と、前記複数台の発電装置の給電対象である負荷設備の消費電力に基づき運転の指令を受ける非スケジュール運転発電装置と、を記憶する発電装置種別記憶手段と、を備え、前記複数台の発電装置の出力を制御する電力出力制御装置のコンピュータに実行させるプログラムであって、前記複数台の発電装置の給電対象である負荷設備の消費電力から、前記スケジュール運転発電装置の電力出力値の合計を減じることにより、前記非スケジュール運転発電装置の電力出力値の合計を算出する電力出力値算出処理と、前記スケジュール運転発電装置へは前記スケジュール記憶手段から読み取ったスケジュールと電力出力値に基づいて運転の指令を行ない、前記非スケジュール運転発電装置へは前記電力出力値算出処理において算出された電力出力値の合計に基づいて運転の指令を所定の時間間隔で行なう出力指令処理と、をコンピュータに実行させるプログラムである。
また本発明は、上述のプログラムを記憶する記録媒体である。
【発明の効果】
【００１２】
本発明によれば、スケジュール運転発電装置は予め定められた一定の長期周期によって頻繁な電力値の変更なく運用され、非スケジュール運転発電装置は電力消費装置の消費する電力量に追随して出力値を増減させる。これにより、劣化の早い発電装置をスケジュール運転発電装置として設定すれば、その劣化の速度を抑えることができる。
【００１３】
また本発明によれば、全ての発電装置についてスケジュール発電装置としての運用時間と、非スケジュール発電装置としての運用時間が同一となるよう制御することで、発電装置の劣化の進行速度がほぼ一定であれば、発電システムに備えられた各発電装置の劣化を同じように制御することができる。
【００１４】
また本発明によれば、スケジュール運転発電装置としての合計の運転時間と非スケジュール運転発電装置としての合計の運転時間が異なるようにローテーションの制御を行うことで、劣化の進行が早い特定の発電装置についての劣化の進行を遅らせる制御を行うことができる。従って、発電システムにおいて、異なる劣化速度の発電装置を、一律に各発電装置が劣化するように制御することも可能となり、これにより管理者の労力を軽減することができる。
【発明を実施するための最良の形態】
【００１５】
以下、本発明の一実施形態による電力出力制御装置を図面を参照して説明する。図１は同実施形態による電力出力制御装置の構成を示すブロック図である。この図において、符号１１は発電装置などと情報を送受信する入出力部である。また１２は電力消費装置（発電装置が出力する電力を消費する発電装置の給電対象である負荷設備）の消費する総消費電力量を計測する消費電力計測部である。また１３は複数の発電装置を制御するための各種情報を記憶する記憶部（発電装置種別記憶手段、発電効率記憶手段、スケジュール記憶手段、運転時間記憶手段）である。また１４は発電装置に指令する電力出力値の合計を算出する電力出力値算出部である。また１５は各発電装置それぞれに対して電力出力値を通知する出力指令部である。また１６は各発電装置のうち、スケジュール運転発電装置として運用する発電装置と、非スケジュール運転発電装置として運用する発電装置の組合せを変更するローテーション処理部である。
【００１６】
ここでスケジュール運転発電装置とは、複数台の発電装置のうち予め決められた時間のスケジュールおよび電力出力値により当該電力出力値の切替えの指令が行われる発電装置を示す呼称である。また非スケジュール運転発電装置とは、電力消費装置の消費電力量に応じて電力出力値の切替えの指令が行われる発電装置の呼称である。そして、電力出力制御装置１は、スケジュール運転発電装置へは記憶部１３から読み取ったスケジュールおよび電力出力値によって電力出力値の切替えの指令を行ない、また非スケジュール運転発電装置へは電力消費装置の消費電力量に応じて自装置で算出した電力出力値への切替えの指令を所定の時間間隔で行なう。
【００１７】
なお、本実施形態においては、電力出力制御装置１は、全ての非スケジュール運転発電装置が出力する電力出力値の合計に対し、非スケジュール運転発電装置それぞれへ投入されるエネルギーの合計が、最も小さくなるような非スケジュール運転発電装置それぞれの電力出力値を算出し、それらを、非スケジュール運転発電装置のそれぞれに指令する電力出力値と決定するものとする。また電力出力制御装置１は、制御対象の複数の発電装置のうち、スケジュール運転発電装置と非スケジュール運転発電装置の組合せをローテーションする処理を行うものとする。そしてこれらの処理によって、発電システムに備えられた各発電装置のうちユーザ所望の発電装置について劣化の進行を抑制する。所望の発電装置とは特定の１台の発電装置でもよいし、全ての発電装置であってもよい。
【００１８】
図２は複数の発電装置を備えた発電システムの構成を示す図である。
この図が示すように、発電システムには電力出力制御装置１と、複数の発電装置（Ｇ：Generator）が備えられている。そして電力出力制御装置１は通信線を介して各発電装置Ｇへ電力出力値を格納した指令値を出力し、各発電装置Ｇは電力出力制御装置１から受信した指令値に基づいて、電力線へ電力を出力する。また電力消費装置は各発電装置Ｇから出力された電力を消費する。
【００１９】
図３はスケジュール運転発電装置と非スケジュール運転発電装置を説明する図である。
この図が示すように発電システムに備えられた各発電装置Ｇはスケジュール運転発電装置として運用される発電装置と、非スケジュール運転発電装置として運用される発電装置が存在する。スケジュール運転発電装置は任意の期間において一定した電力を電力消費装置へ供給するためにスケジュール管理された発電装置であるので、出力する電力の値（電力出力値）の変化は少ない。従ってスケジュール運転発電装置へ電力出力制御装置１から出力される指令値の周期ｓは比較的長くなる。一方、非スケジュール運転発電装置は、スケジュール運転発電装置の出力する電力だけでは電力消費装置の消費する電力量が賄え切れない場合に、電力消費装置の消費する電力量の増減に応じて、電力出力制御装置１から電力出力値の切替えの指令が行われる。従って、電力消費装置の電力消費量の増減が激しい場合には、非スケジュール運転発電装置に対して出力される指令値の周期ｔは、スケジュール運転発電装置に対して出力される指令値の周期ｓよりも短くなる。
【００２０】
図４はローテーションの概要を示す図である。
図４で示すように発電システムに備えられた各発電装置は、スケジュール運転発電装置または非スケジュール運転発電装置の何れかに属するが、電力出力制御装置１はスケジュール運転発電装置として運用される発電装置Ｇと、非スケジュール運転発電装置として運用される発電装置Ｇの組合せを、記憶部１３に記録されているテーブルや予めプログラムされた処理に基づいてローテーションする。
【００２１】
次に、図５〜図８を用いて記憶部の記憶する各テーブルについて説明する。
図５は装置概要テーブルを示す図である。
この装置概要テーブルは、発電装置の識別情報と、その発電装置がスケジュール運転用として運用される装置かまたは非スケジュール運転用として運用される装置かを示す運用種別情報と、その発電装置の定格出力と、を対応付けて記憶したテーブルである。なお、本実施形態において運用種別情報は、スケジュール運転用として運用される発電装置の場合には「１」、非スケジュール運転用として運用される発電装置の場合には「０」であるとする。
【００２２】
図６は発電効率テーブルを示す図である。
この図が示すように発電効率テーブルには、電力出力値に応じた各発電装置の発電効率が記録されている。この発電効率テーブルは、全ての非スケジュール運転発電装置が出力する電力出力値の合計に対し、非スケジュール運転発電装置それぞれへ投入されるエネルギーの合計の割合が最も小さくなるような非スケジュール運転発電装置それぞれの電力出力値を算出するために、電力出力算出部１４によって利用されるテーブルである。
【００２３】
図７はスケジュールテーブルを示す図である。
この図が示すようにスケジュールテーブルには、スケジュール運転用として運用される発電装置の各時間帯における電力出力値が記録されている。なお記憶部１３では、スケジュール運転用として運用される発電装置それぞれについてのスケジュールテーブルを保持している。そして電力出力算出部１４はこのスケジュールテーブルを利用して、スケジュール運転用として運転する発電装置に指示する各電力出力値を読み取り、出力指令部１５を通じてスケジュール運転用として運転する各発電装置への指令値へ格納することとなる。
【００２４】
図８は運転時間記憶テーブルである。
この図が示すように運転時間記憶テーブルには、各発電装置について、スケジュール運転用として運用された時間と、非スケジュール運転用として運用された時間とが記録される。電力出力制御装置１は、この運転時間記憶テーブルを用いて、各発電装置がスケジュール運転または非スケジュール運転される時間を制御する。なおこの運転時間記憶テーブルは、発電装置がスケジュール運転または非スケジュール運転としての運用が行われた場合に時間の経過に従って、その運転時間が更新される。
【００２５】
図９は電力出力制御装置の処理フローを示す図である。
次に、電力出力制御装置１の処理フローについて説明する。
まず、電力出力制御装置１の消費電力計測部１２は、電力消費装置の消費する電力を計測する（ステップＳ１０１）。なお電力消費装置の消費する電力を計測する代わりに、何らかの手法によって消費電力を予測するようにしてもよい。電力出力制御装置１の電力出力算出部１４は、スケジュール運転発電装置として運用される発電装置と、非スケジュール運転発電装置として運用される発電装置を、装置概要テーブルに基づいて判定する（ステップＳ１０２）。ここで運用種別として「１」が登録されている発電装置はスケジュール運転発電装置である。また運用種別として「０」が登録されている発電装置は非スケジュール運転発電装置である。そして電力出力値算出部１４はスケジュール運転発電装置それぞれのスケジュールテーブルから時間帯に応じた電力出力値を読み取る（ステップＳ１０３）。また電力出力算出部１４は、読み取った電力出力値を格納した指令値を、スケジュール運転発電装置の電力出力値として確定し、非スケジュール運転装置の電力出力値を算出したのちに、出力指令部１５へそれぞれ通知する。通知を受けた出力指令部１５は各発電装置へ電力出力値を指令する（ステップＳ１０７）。各発電装置は受信した指令値に基づいて電力を出力する。各発電装置は指令値を受信した場合には当該指令値に格納されている電力出力値で、次の指令値を受信するまで電力を出力し続ける。
【００２６】
このような状況下において、電力出力算出部１４は、消費電力計測部１２がステップＳ１０１で計測した電力消費装置の消費電力から、複数のスケジュール運転発電装置それぞれの電力出力値の合計を減じることにより、非スケジュール運転発電装置の出力すべき電力出力値の総和（以下、臨時電力出力値とする）を算出する（ステップＳ１０４）。
【００２７】
次に電力出力値算出部１４は、装置概要テーブルから運用種別が「０」、つまり非スケジュール運転発電装置として運用されている発電装置の識別情報を読み取り、その数を非スケジュール運転発電装置の数と決定する（ステップＳ１０５）。そして臨時電力出力値を非スケジュール運転発電装置として運用される発電装置の数で割り、非スケジュール運転発電装置それぞれが新たに出力する電力の電力出力値を算出する（ステップＳ１０６）。そして、電力出力値算出部１４は算出した電力出力値を格納した指令値を非スケジュール運転発電装置として運用される各発電装置へ、出力指令部１５を通じて出力する（ステップＳ１０７）。これにより電力消費装置の消費する電力の変化に追随して非スケジュール運転発電装置の出力値を増減させることができる。
【００２８】
ここで、上述した非スケジュール運転発電装置それぞれへ指令する電力出力値は、非スケジュール運転発電装置の総電力出力値を非スケジュール運転発電装置の数で割った値であるので均等である。このような方法以外にも、電力出力制御装置１は、全ての非スケジュール運転発電装置が出力する電力出力値の合計に対し、非スケジュール運転発電装置それぞれへ投入されるエネルギーの合計が最も小さくなるような非スケジュール運転発電装置それぞれの電力出力値を算出し、それらを、非スケジュール運転発電装置のそれぞれに指令する電力出力値と決定することにより、非スケジュール運転発電装置全体として、できるだけ発電効率が向上するようにしてもよい。
【００２９】
この場合、電力出力値算出部１４は、非スケジュール運転発電装置のそれぞれの電力出力値毎の各発電効率を発電効率テーブルから読み取る。そして、ステップＳ１０４において算出した電力出力値の合計を非スケジュール運転発電装置のそれぞれに任意に振り分けた際の各電力出力値と、その振り分けが行われる場合の非スケジュール運転発電装置の発電効率とに基づいて、当該振り分けが行われる場合に非スケジュール運転発電装置それぞれへ投入されるエネルギーを算出する。また、電力出力値算出部１４は、当該振り分けが行われる場合に非スケジュール運転発電装置それぞれへ投入されるエネルギーの合計で、ステップＳ１０４で算出された電力出力値の合計を割ることで全体の発電効率を算出する。そして、その全体の発電効率が最大となる場合の、非スケジュール運転発電装置それぞれの電力出力値を、それら各非スケジュール運転発電装置に指令する電力出力値と決定する。
【００３０】
例えば、ステップＳ１０４で算出された臨時電力出力値の合計が１０００Ｗであり、非スケジュール運転発電装置として運用される発電装置が、発電装置Ａと発電装置Ｂであり、合計１０００Ｗのうち発電装置Ａに任意に振り分ける電力出力値を４００Ｗ、合計１０００Ｗのうち発電装置Ｂに任意に振り分ける電力出力値を６００Ｗとする。また発電装置Ａに任意に振り分ける電力出力値が４００Ｗである場合の当該発電装置Ａの発電効率が８０％、発電装置Ｂに任意に振り分ける電力出力値が６００Ｗである場合の当該発電装置Ｂの発電効率が６０％であるとする。このような場合、発電装置Ａへの投入エネルギーは（４００÷０．８＝５００）であるので５００Ｗとなる。また発電装置Ｂへの投入エネルギーは（６００÷０．６＝１０００）であるので１０００Ｗとなる。従って、非スケジュール運転発電装置それぞれへ投入されるエネルギーの合計に対し、全ての非スケジュール運転発電装置が出力する電力出力値の合計の割合は、（４００＋６００）÷（５００＋１０００）＝０．６６６・・となり、約６７％である。そして、このように、合計１０００Ｗのうち発電装置Ａに任意に振り分ける電力出力値と発電装置Ｂに任意に振り分ける電力出力値の組合せにごとに、非スケジュール運転発電装置それぞれへ投入されるエネルギーの合計に対し、全ての非スケジュール運転発電装置が出力する電力出力値の合計の割合を算出して、最も効率の高い場合の電力出力値の組合せを、発電装置Ａと発電装置Ｂに振り分ける。そして、電力出力値算出部１４から伝達されたそれぞれの電力出力値を、出力指令部１５は発電装置Ａと発電装置Ｂのそれぞれへ指令値として出力する。
【００３１】
また電力出力制御装置１は、スケジュール運転発電装置として運用される発電装置と、非スケジュール運転発電装置として運用される発電装置の組合せを変更して、所望の発電装置の劣化が著しく早くならないように管理するようにしてもよい。例えば、電力出力値算出部１４は、各発電装置がスケジュール運転発電装置として運用された時間と、非スケジュール運転発電装置として運用された時間を指令値算出のたびに記憶部１３にある運用時間記憶テーブルに書込んでおく。ここで、ローテーション処理部１６はそれらの情報を記憶部１３から読み取って、スケジュール運転発電装置として運用された時間と、非スケジュール運転発電装置として運用された時間を算出する。そして、スケジュール運転または非スケジュール運転のどちらで運転するのかを示す情報と、指令値の出力先の発電装置の識別情報を記憶部１３に書き込む。その情報を電力出力値算出部１４は記憶部１３から読み取って、各発電装置の運転方式に反映させる。
【００３２】
ローテーション処理部１６は、全ての発電装置について、スケジュール運転発電装置としての合計の運転時間と非スケジュール運転発電装置としての合計の運転時間が等しくなるように、スケジュール運転発電装置として運用される時間と、非スケジュール運転発電装置として運用される時間を決定するとプログラムされている場合には｛プログラムされずにテーブルにこの情報（スケジュール運転発電装置として運用される時間と、非スケジュール運転発電装置として運用される時間の情報）が登録されているようにしてもよい｝、例えば、スケジュール運転発電装置として運用された時間と、非スケジュール運転発電装置として運用された時間の差が最も大きく、かつスケジュール運転発電装置として運用された時間より非スケジュール運転発電装置として運用された時間が小さい発電装置から順に、非スケジュール運転発電装置として運用すると決定する。なお、この決定方法は他の方法であってもよい。そして、ローテーション処理部１６は、装置概要テーブルにおいて、非スケジュール運転発電装置として運用すると決定した発電装置の運用種別を「０」へ書き換える。これにより、全ての発電装置について、スケジュール発電装置としての運用時間と、非スケジュール発電装置としての運用時間が同一となるよう制御されるので、発電装置の劣化の進行速度がほぼ一定であれば、発電システムに備えられた各発電装置の劣化を同じように制御することができる。
【００３３】
またローテーション処理部１６は、発電装置それぞれについて、スケジュール運転発電装置としての合計の運転時間と非スケジュール運転発電装置としての合計の運転時間が異なるように、スケジュール運転発電装置として運用される時間と、非スケジュール運転発電装置として運用される時間を決定するとプログラムされていてもよい。例えば、劣化の進行の早い発電装置を主にスケジュール運転発電装置として運用し、劣化の進行の遅い発電装置を主に非スケジュール運転発電装置として運用する。この場合、各発電装置のスケジュール運転発電装置として運用する時間や非スケジュール運転発電装置として運用する時間は、発電システムにおいて、劣化の進行速度が同様となるように予め計測された各時間として設定しておく。このようにすることで、劣化の進行が早い特定の発電装置についての劣化の進行を遅らせる制御を行うことができ、発電システムにおいて、劣化が早くなることによる交換などを遅らせることができ、これにより管理者の労力を軽減することができる。
【００３４】
以上、本発明の実施形態について説明したが、上述の処理によれば、スケジュール運転発電装置は予め定められた一定の長期周期によって頻繁な電力値の変更なく運用され、非スケジュール運転発電装置は電力消費装置の消費する電力量に追随して出力値を増減させる。これにより、劣化の早い発電装置をスケジュール運転発電装置として設定すれば、その劣化の速度を抑えることができる。
また本発明によれば、全ての発電装置についてスケジュール発電装置としての運用時間と、非スケジュール発電装置としての運用時間が同一となるよう制御することで、発電装置の劣化の進行速度がほぼ一定であれば、発電システムに備えられた各発電装置の劣化を同じように制御することができる。
また本発明によれば、スケジュール運転発電装置としての合計の運転時間と非スケジュール運転発電装置としての合計の運転時間が異なるようにローテーションの制御を行うことで、劣化の進行が早い特定の発電装置についての劣化の進行を遅らせる制御を行うことができる。従って、発電システムにおいて、異なる劣化速度の発電装置を、一律に各発電装置が劣化するように制御することも可能となり、これにより管理者の労力を軽減することができる。
【００３５】
上述の電力出力制御装置は内部に、コンピュータシステムを有しているようにしてもよい。そして、上述した処理の過程は、プログラムの形式でコンピュータ読み取り可能な記録媒体に記憶されており、このプログラムをコンピュータが読み出して実行することによって、上記処理が行われるようにしてもよい。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３７】
【図１】電力出力制御装置の構成を示すブロック図である
【図２】発電システムの構成を示す図である。
【図３】スケジュール運転発電装置と非スケジュール運転発電装置を説明する図である。
【図４】ローテーションの概要を示す図である。
【図５】装置概要テーブルを示す図である。
【図６】発電効率テーブルを示す図である。
【図７】スケジュールテーブルを示す図である。
【図８】運転時間記憶テーブルである。
【図９】電力出力制御装置の処理フローを示す図である。
【符号の説明】
【００３８】
１・・・電力出力制御装置
１１・・・入出力部
１２・・・消費電力計測部
１３・・・記憶部
１４・・・電力出力値算出部
１５・・・出力指令部
１６・・・ローテーション処理部
【図１】
2008182788.tif 000003
【図２】
2008182788.tif 000004
【図３】
2008182788.tif 000005
【図４】
2008182788.tif 000006
【図５】
2008182788.tif 000007
【図６】
2008182788.tif 000008
【図７】
2008182788.tif 000009
【図８】
2008182788.tif 000010
【図９】
2008182788.tif 000011